【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
オブジェクトを生成するオブジェクト生成手段と、
第一テクスチャ画像に関連する情報である関連情報の内容毎の第二テクスチャ画像を生成するテクスチャ生成手段と、
前記第一テクスチャ画像及び前記テクスチャ生成手段において生成された前記第二テクスチャ画像を前記オブジェクト生成手段において生成された前記オブジェクトにテクスチャマッピングして画像オブジェクトを作成する付与手段と、
複数の前記画像オブジェクトを前記関連情報に基づいて３次元空間中に配列してなるブロックオブジェクトを生成するブロック生成手段と、
前記ブロックオブジェクトの画像を生成する画像生成手段と、
前記画像生成手段において生成された画像を表示する表示手段と
を備えることを特徴とする携帯端末機器。
【請求項２】
前記オブジェクト生成手段は、２次元オブジェクトを生成し、
前記付与手段は、前記第一テクスチャ画像を前記２次元オブジェクトの正面に、前記第二テクスチャ画像を前記２次元オブジェクトの外周部の一部又は全部に貼り付けて画像オブジェクトを作成し、
前記ブロック生成手段は、前記関連情報に基づいて、後方に位置する画像オブジェクトの少なくとも一部が認識可能となるように、複数の２次元の前記画像オブジェクトを３次元空間中に斜め方向に配置して、ブロックオブジェクトを生成し、
前記画像生成手段は、前記ブロックオブジェクトの画像を生成し、
前記表示手段は、当該画像を表示する
ことを特徴とする請求項１記載の携帯端末機器。
【請求項３】
前記第一テクスチャ画像は、文字情報を含む画像であり、前記第二テクスチャ画像は、前記第一テクスチャ画像のカテゴリ毎に区分された色情報を含む画像である
ことを特徴とする請求項２記載の携帯端末機器。
【請求項４】
前記オブジェクト生成手段は、３次元オブジェクトを生成し、
前記付与手段は、前記３次元オブジェクトの正面に前記第一テクスチャ画像を、前記３次元オブジェクトの側面に前記第二テクスチャ画像をテクスチャマッピングして画像オブジェクトを作成し、
前記ブロック生成手段は、前記関連情報に基づいて複数の前記画像オブジェクトを多面体を構成するように３次元空間中に配置してブロックオブジェクトを生成し、
前記画像生成手段は、前記ブロックオブジェクトの画像を生成し、
前記表示手段は、当該画像を表示する
ことを特徴とする請求項１記載の携帯端末機器。
【請求項５】
前記テクスチャ生成手段は、前記第一テクスチャ画像の関連情報の内容毎に色分け、模様分け、グラデーション、又は形状分けした第二テクスチャ画像を生成する
ことを特徴とする請求項１記載の携帯端末機器。
【請求項６】
前記関連情報には、作成時刻、撮影時刻、日付、動画の収録時間、画像のサイズ、明るさ、色合いの画像自体の情報、及び撮影場所、お気に入り度、ジャンル、参照回数の撮影内容、前記携帯端末機器のヘルプに関する情報の少なくとも１つが含まれ、
前記携帯端末機器は、さらに、
前記関連情報に基づいて前記画像オブジェクトの配列を変更する配列変更手段を備え、
前記ブロック生成手段は、前記配列変更手段における変更に基づいて前記画像オブジェクトを３次元空間中に配列してブロックオブジェクトを生成する
ことを特徴とする請求項１記載の携帯端末機器。
【請求項７】
前記携帯端末機器は、さらに、
前記第一テクスチャ画像から画像の特徴を示す特徴情報を抽出する抽出手段を備え、
前記テクスチャ生成手段は、前記特徴情報に基づいて第二テクスチャ画像を生成し、
前記特徴情報には、画像中に含まれる人物情報、画像中に含まれる色情報、又は画像中に含まれる輝度情報の少なくとも１つが含まれる
ことを特徴とする請求項１記載の携帯端末機器。
【請求項８】
前記ブロック生成手段は、複数の前記画像オブジェクトを２次元オブジェクトを生成し、
前記付与手段は、前記第一テクスチャ画像を前記２次元オブジェクトの正面に、前記第二テクスチャ画像を前記２次元オブジェクトの外周部の一部又は全部に貼り付けて画像オブジェクトを作成し、
前記ブロック生成手段は、前記関連情報に基づいて、複数の２次元の前記画像オブジェクトを３次元空間中に円筒体を構成するように配置して前記ブロックオブジェクトを生成し、
前記画像生成手段は、前記ブロックオブジェクトの画像を生成し、
前記表示手段は、当該画像を表示する
ことを特徴とする請求項１記載の携帯端末機器。
【請求項９】
オブジェクトを生成するオブジェクト生成ステップと、
第一テクスチャ画像に関連する情報である関連情報の内容毎の第二テクスチャ画像を生成するテクスチャ生成ステップと、
前記第一テクスチャ画像及び前記テクスチャ生成ステップにおいて生成された前記第二テクスチャ画像を前記オブジェクト生成ステップにおいて生成された前記オブジェクトにテクスチャマッピングして画像オブジェクトを作成する付与ステップと、
複数の前記画像オブジェクトを前記関連情報に基づいて３次元空間中に配列してなるブロックオブジェクトを生成するブロック生成ステップと、
前記ブロックオブジェクトの画像を生成する画像生成ステップと、
前記画像生成ステップにおいて生成された画像を表示する表示ステップと
を含むことを特徴とする画像表示方法。
【請求項１０】
オブジェクトを生成するオブジェクト生成ステップと、
第一テクスチャ画像に関連する情報である関連情報の内容毎の第二テクスチャ画像を生成するテクスチャ生成ステップと、
前記第一テクスチャ画像及び前記テクスチャ生成ステップにおいて生成された前記第二テクスチャ画像を前記オブジェクト生成ステップにおいて生成された前記オブジェクトにテクスチャマッピングして画像オブジェクトを作成する付与ステップと、
複数の前記画像オブジェクトを前記関連情報に基づいて３次元空間中に配列してなるブロックオブジェクトを生成するブロック生成ステップと、
前記ブロックオブジェクトの画像を生成する画像生成ステップと、
前記画像生成ステップにおいて生成された画像を表示する表示ステップとをコンピュータに実行させる
ことを特徴とするプログラム。
【請求項１１】
オブジェクトを生成するオブジェクト生成手段と、
第一テクスチャ画像に関連する情報である関連情報の内容毎の第二テクスチャ画像を生成するテクスチャ生成手段と、
前記第一テクスチャ画像及び前記テクスチャ生成手段において生成された前記第二テクスチャ画像を前記オブジェクト生成手段において生成された前記オブジェクトにテクスチャマッピングして画像オブジェクトを作成する付与手段と、
複数の前記画像オブジェクトを前記関連情報に基づいて３次元空間中に配列してなるブロックオブジェクトを生成するブロック生成手段と
を備えることを特徴とするブロックオブジェクト生成装置。
【請求項１２】
オブジェクトを生成するオブジェクト生成手段と、
第一テクスチャ画像に関連する情報である関連情報の内容毎の第二テクスチャ画像を生成するテクスチャ生成手段と、
前記第一テクスチャ画像及び前記テクスチャ生成手段において生成された前記第二テクスチャ画像を前記オブジェクト生成手段において生成された前記オブジェクトにテクスチャマッピングして画像オブジェクトを作成する付与手段と、
複数の前記画像オブジェクトを前記関連情報に基づいて３次元空間中に配列してなるブロックオブジェクトを生成するブロック生成手段と
を備えることを特徴とするブロックオブジェクト生成方法。
【請求項１３】
オブジェクトを生成するオブジェクト生成手段と、
第一テクスチャ画像に関連する情報である関連情報の内容毎の第二テクスチャ画像を生成するテクスチャ生成手段と、
前記第一テクスチャ画像及び前記テクスチャ生成手段において生成された前記第二テクスチャ画像を前記オブジェクト生成手段において生成された前記オブジェクトにテクスチャマッピングして画像オブジェクトを作成する付与手段と、
複数の前記画像オブジェクトを前記関連情報に基づいて３次元空間中に配列してなるブロックオブジェクトを生成するブロック生成手段とをコンピュータに実行させる
ことを特徴とするプログラム。